(57)【要約】      （修正有）【課題】セットしやすく安定感が有り、安価で環境に優しいトイレットペーパーと便座シート取付け具を提供する。【解決手段】便座シート取付け具は、ゴム等弾力性のある材質で太い釘様の形の物を、頭を下にして便座後方の左右２箇所に設置され、トイレットペーパーのミシン目が入った各ブロックの一箇所に穴を開けた穴あきトイレットペーパーを便座に固定する。【選択図】図４
0003152893.tif 000002
【実用新案登録請求の範囲】
【請求項１】
洋式便器を使用するときに衛生上及び感触上の両面から、通常使用している市販のトイレットペーパーを利用して解決する、便座シート取付け具と便座シート取付け具付き便座、及び穴あきトイレットペーパーです。
【請求項２】
図３の便座シート取付け具（便座の製造段階での装備も含む）を使用して、現在市販されている普通のトイレットペーパー、或いは穴あきトイレットペーパーを便座に装着できるようにした、請求項１記載の便座シート取付け具です。
【請求項３】
市販のトイレットペーパーに図１の１のように、ミシン目の入った各ブロックの一部に半円の切込みか円形の取付け穴を開けておく、請求項１、請求項２記載の穴あきトイレットペーパーです。尚、取付け穴は円形に限らなく、取付け穴が開いていればよいです。
【請求項４】
便座シート取付け具を便座製造時に組み込んでおく、請求項１、請求項２に記載の便座シート取付け具付き便座です。
【考案の詳細な説明】
【技術分野】
【０００１】この考案は、何処のトイレにも備え付けられている通常のトイレットペーパーを、洋式トイレの便座上に容易に装着できるように工夫した、人や環境に優しい便座シート取付け具と穴あきトイレットペーパーです。
【背景技術】
【０００２】従来のものでトイレットペーパーを使用する方式の考案は、粘着による便座への装着がある。叉、多く普及しているのは、大きい紙を便座の部分を残して切り抜く方式等です。その他にも多々の考案がありますが、取付け工事や経費がかかったり、使用感が悪かったりします。
【考案の概要】
【考案を解決しようとする課題】
【０００３】現在、トイレは和式より洋式の普及が大半を占めています。洋式は便座シートが有ったほうが清潔で使用感が良いのは周知の事実です。トイレは子供からお年寄りまで使用するので、便座シートはセットしやすく安定感（ずれたり落ちたりしない）が有るものが必要です。さらに、一般普及品として公衆トイレを含む何処のトイレにでも装備されるようにするには、安価で環境に優しいものが良いと考えました。
【課題を解決するための手段】
【０００４】便座シート取付け具は、ゴルフで使用するティーの様な形（図３）のものを、逆さまの形で便座（図４のロ．ハ）の位置に設置する。便座シート取付け具のイの部分には両面テープを装着しておく。便座シート取付け具の材質はゴム等の弾力性のある材質とし、トイレットペーパーを突き刺せる程度の硬度にすればそれほど硬くないので、便器の蓋を閉めても便座シート取付け具が折り曲がって邪魔にならない。尚、便座（図４のニ）に取付け具を装備して使用すれば固定感が増すが便座の形式によっては装備しずらいものもあり、使用しなくても問題はない。
【０００５】便座シート取付け具は、既存の便座用にはトイレットペーパ−の付属品として普及させ、今後製造する便座には最初から組み込んでおくと良いです。
【０００６】穴あきトイレットペーパーは、ミシン目のブロックごとの一箇所（図１の１）に、図２のような直径５ミリから１０ミリ程度の半円形の切込みを入れるか、円形に取付け穴を開ける。この加工はトイレットペ−パ−の製造時に同時加工を前提とする。
【０００７】穴あきトイレットペーパー或いは普通のトイレットペーパーを便座を覆うのに適当な長さにカットする。穴あきトイレットペーパーの場合は、両端の穴を便座シート取付け具（図４のロ．ハ）に差し込んで使用し、普通のトイレットペーパーの場合は穴が開いていないので、突き刺して使用する。
【０００８】便座シートとして使用する穴あきトイレットペーパーや普通のトイレットペーパーは、図５．図６のように折ったり、図７のように黒い部分を握り潰して便座の形に合わせて使用する。
【考案の効果】
【０００９】洋式便器の便座は、他の人が座った後に座るという衛生的違和感と、便座の感触的違和感についての問題があるが、その両方とも解決できる。
【００１０】便座シート取付け具（図３）はゴム等の材質で弾力性があるので、座る時に臀部が触れても危険性がなく、元の形に戻るので破損する心配がありません。叉、お子さんやお年寄りでも簡単に装着及び脱着ができ、ずれ落ちたりしないで安定している。
【００１１】この考案の方式であれば、トイレットペーパーとは別に便座シ−トを購入する必要がなくなり、便座シ−ト用の備え付け容器の取付けも必要なくなる。このように経費も手間もかからないのです。普通のトイレットペーパーを使用しても良いが、穴あきトイレットペーパーが通常商品として普及され、便座シート取付け具が付属品としてセットで、及び便座シート取付け具付き便座が販売普及されれば、公衆トイレを含む何処のトイレでも普通のトイレットペーパーのように装備されるようになります。
【考案を実施するための最良の形態】
【００１２】図１の１の取付け穴は、直径５ミリから１０ミリ程度の半円の切込みを入れておく方式と、円形の穴を完全に開けておく方式がある。【００１３】取付け穴は、図１のようにミシン目から１０ミリから２０ミリ程度はなれた位置に開けておく。【００１４】便座シート取付け具の材質はゴム製に限りませんが、必要条件として弾力性が強く、押し潰されても瞬時で元の形に戻る物がよく、便器の蓋を閉めたときに触れていても、邪魔をしない柔軟さが必要です。叉、普通のトイレットペーパーを突き刺せる程度の硬度も必要です。【００１５】便座シート取付け具の寸法は、胴の部分の太さは直径３ミリ程度で、長さは３０ミリから５０ミリ程度が良い。叉、便座に貼り付ける部分（図３のイ）は、両面テープ等の粘着物を装備しておくが、すぐに剥がれないように面積と強度の考慮が必要です。便座シート取付け具付き便座の場合は、製造時に埋め込み方式等で解決できます。
【図面の簡単な説明】
【００１６】
【図１】この考案の穴あきトイレットペーパーのロールを解いたときの平面図です。
【図２】この考案の便座シート取付け具の差込み穴（１）２種類の図です。
【図３】この考案の便座シート取付け具の図です。
【図４】この考案の便座シート取付け具の設置場所を示した便座の図です。
【図５】この考案のトイレットペーパーを使用するときの折り曲げ方の図です。
【図６】この考案のトイレットペーパーを使用するときの折り曲げ方の図です。
【図７】この考案のトイレットペーパーを使用するときの折り曲げ方の図です。
【符号の説明】
【００１７】１  便座シ−ト取付け具の差込み穴。
ａ  ミシン目の線です。
ｂ  省略の線です。
イ  便座シート取付け具を便座に取り付けるための面。
ロ．ハ．二  便座シート取付け具を便座に取り付けるときの位置。
【図１】
0003152893.tif 000003
【図２】
0003152893.tif 000004
【図３】
0003152893.tif 000005
【図４】
0003152893.tif 000006
【図５】
0003152893.tif 000007
【図６】
0003152893.tif 000008
【図７】
0003152893.tif 000009
【手続補正書】
【提出日】平成21年5月28日(2009.5.28)
【手続補正１】
【補正対象書類名】実用新案登録請求の範囲
【補正対象項目名】全文
【補正方法】変更
【補正の内容】
【実用新案登録請求の範囲】
【請求項１】
トイレットペーパーのミシン目が入った各ブロックの一箇所に穴を開け、便座に設置した便座シ−ト取付け具に装着して使用する、穴あきトイレットペーパー。
【請求項２】
ゴム等弾力性のある材質で太い釘様の形の物を、頭を下にして便座後方の左右２箇所に設置して使用する、請求項１記載の穴あきトイレットペーパーを便座に固定するための、便座シート取付け具。
【請求項３】
請求項２記載の便座シート取付け具を便座製造時に組み込んで一体化した、便座シート取付け具付き便座。